(57)【要約】【課題】  発言者による発言の発信位置を特定して表示することによって、その発言の信憑性を高めることができる掲示板システムを、提供する。【解決手段】  ユーザ端末１が掲示板公開サーバ４へ向けて発言内容を含む書込要求メッセージを送信すると、位置情報サーバ３は、この書込要求メッセージを調べ、このユーザ端末１の位置を割り出す。位置情報サーバ３は、割り出したユーザ端末１の位置を発言位置として示す情報を書込要求メッセージに組み込んで、掲示板公開サーバ４へ転送する。掲示板公開サーバ４は、受信した書込要求メッセージ中の発言内容及び発言位置を掲示板ＤＢ４１に格納する。掲示板公開サーバ４は、任意のユーザ端末１から掲示板の閲覧要求メッセージを受信すると、掲示板ＤＢ４１から各発言の発言内容及び発言位置を読み出して、これらを互いに対応付けて表示するための掲示板表示用ＨＴＭＬデータを、要求元ユーザ端末１へ応答する。【選択図】  図１
2005128831.tif 000002
【特許請求の範囲】
【請求項１】
端末と無線通信するために地上に固定設置された複数の無線設備，ネットワークを介してこれら複数の無線設備と接続された位置情報サーバ，及び、ネットワークを通じてこの位置情報サーバと通信を行うとともに発言毎にその発言内容を記録するデータベースを有する掲示板公開サーバから構築された掲示板システムにおける掲示板提示方法であって、
前記位置情報サーバは、何れかの前記無線設備を通じて何れかの端末から発言内容を伴った書込要求メッセージを受信すると、この書込要求メッセージの送信元の端末の位置を割り出し、割り出した位置を示す位置情報を当該書込要求メッセージに組み込み、
前記掲示板公開サーバは、前記位置サーバから前記書込要求メッセージを受信すると、この書込要求メッセージ含まれる発言内容及び位置情報を互いに対応付けて前記データベースに記録し、何れかの端末から読出要求メッセージを受信すると、前記データベースから各発言毎の発言内容及び位置情報を読み出して、各発言毎の発言内容及び位置情報を互いに対応付けた状態で表示するための掲示板表示データを、当該読出要求メッセージの送信元端末へ応答する
ことを特徴とする掲示板システムにおける掲示板提示方法。
【請求項２】
端末と無線通信するために地上に固定設置された複数の無線設備，ネットワークを介してこれら複数の無線設備と接続された位置情報サーバ，及び、ネットワークを介して前記複数の無線設備と接続されているとともに発言毎にその発言内容を記録するデータベースを有する掲示板公開サーバから構築された掲示板システムにおける掲示板提示方法であって、
前記端末は、発言の書き込みに先立って何れかの前記無線設備を通じて位置情報サーバに対して位置検出要求メッセージを送信し、
この位置検出要求メッセージを受信した前記位置情報サーバは、この位置検出要求メッセージの送信元の端末の位置を割り出し、割り出した位置を示す位置情報をこの位置検出要求メッセージの送信元の端末へ応答し、
位置情報を応答された端末は、この位置情報及び発言内容を伴った書込要求メッセージを前記掲示板公開サーバへ送信し、
前記掲示板公開サーバは、前記端末から前記書込要求メッセージを受信すると、この書込要求メッセージ含まれる発言内容及び位置情報を互いに対応付けて前記データベースに記録し、何れかの端末から読出要求メッセージを受信すると、前記データベースから各発言毎の発言内容及び位置情報を読み出して、各発言毎の発言内容及び位置情報を互いに対応付けた状態で表示するための掲示板表示データを、当該読出要求メッセージの送信元端末へ応答する
ことを特徴とする掲示板システムにおける掲示板提示方法。
【請求項３】
前記位置情報サーバは、前記書込要求メッセージの送信元の端末と無線通信している前記無線設備の設置位置を、当該書込要求メッセージの送信元の端末の位置として割り出す
ことを特徴とする請求項１又は２記載の掲示板システムにおける掲示板提示方法。
【請求項４】
前記位置情報サーバは、前記書込要求メッセージの送信元の端末と無線通信している前記無線設備が当該書込要求メッセージを当該位置情報サーバに送信するためのフレームのヘッダに記述される当該無線設備の識別情報を抽出し、予め各無線設備の識別情報をその設置位置と対応付けて記憶しているテーブルを参照して、当該テーブル内において当該抽出した識別情報に対応する設置位置を、当該書込要求メッセージの送信元の端末の位置として割り出す
ことを特徴とする請求項３記載の掲示板システムにおける掲示板提示方法。
【請求項５】
前記位置情報サーバは、前記書込要求メッセージの送信元の端末の電話番号に基づいて、この電話番号を有する端末と最後に情報交換をした無線設備の識別情報を特定し、予め各無線設備の識別情報をその設置位置と対応付けて記憶しているテーブルを参照して、当該テーブル内において当該特定した識別情報に対応する設置位置を、当該書込要求メッセージの送信元の端末の位置として割り出す
ことを特徴とする請求項３記載の掲示板システムにおける掲示板提示方法。
【請求項６】
前記位置情報サーバは、前記書込要求メッセージの送信元の端末が発信する緯度及び経度情報を受信し、予め経度及び緯度と地名と対応付けて記憶しているテーブルを参照し、当該テーブル内において当該受信した緯度及び経度に対応する地名を、当該書込要求メッセージの送信元の端末の位置として割り出す
ことを特徴とする請求項１又は２記載の掲示板システムにおける掲示板提示方法。
【発明の詳細な説明】
【技術分野】
【０００１】
本発明は、コンピュータネットワークを通じて、多数の端末から電子掲示板に発言内容を書き込むことができ、かつ、電子掲示板から発言内容を閲覧させることができる電子掲示板システムに関する。
【背景技術】
【０００２】
近年のインターネットの普及に伴って、ＢＢＳと呼ばれる電子掲示板の利用が一般化している。この電子掲示板のシステムを実現するサーバは、データベースの個々のエントリに、各発言についての情報，例えば、発言者の名前（通常はハンドルネーム），発言日時，発言内容題を記録しておき、アクセス資格のあるユーザが操作する端末からの閲覧要求を受信すると、最新の発言から順番に所定数の発言についての情報をデータベースから読み出し、これら各発言についての情報と書込用フォームをＨＴＭＬデータに組み込んで、要求元端末へ応答する。このＨＴＭＬデータを受信した端末上で動作しているブラウザプログラムは、このＨＴＭＬデータを解釈することによって、各発言についての情報を一覧するとともに書込用フォームを含む掲示板画面を、ディスプレイ上に表示する。そして、当該ユーザが書込用フォームの各欄に名前，発言内容を書き込んで「送信」ボタンをクリックすると、当該端末上で動作しているブラウザプログラムが、自己の発言についてのこれら情報を含む書込要求メッセージをサーバへ送信する。すると、サーバは、この書込要求メッセージを受信した日時を発言日時として自動生成し、書込要求メッセージ中の情報と発言日時とに基づいてデータベースを更新するとともに、更新後のデータベースから新たに読み出した所定数の発言についてのデータと書込用フォームをＨＴＭＬデータに組み込んで、要求元端末へ応答する。このＨＴＭＬデータを受信した端末上で動作しているブラウザプログラムは、このＨＴＭＬデータを解釈することによって、自己の発言を含む掲示板画面を、ディスプレイ上に表示する。
【発明の開示】
【発明が解決しようとする課題】
【０００３】
しかしながら、このような掲示板は、書き込み資格を限定し且つ本名での発言を強制するのでなければ、発言者の匿名性が前提になるので、発言の内容に信憑性を保証することはできない。例えば、地域情報を交換するための掲示板において、或る場所から発信していると自称している発言が、実際にその場所に居る者から発信された保証はない。そして、実際にその場所に居ない者から発信されたその場所に関する発言の内容は、虚偽であるか古い情報故に実態にそぐわなくなっている可能性が極めて高い。
【０００４】
本発明は、従来の掲示板における上記信憑性の問題に鑑みてなされたものであり、その課題は、発言者が匿名であったとしても、発言者による発言の発信位置を特定して表示することによって、その発言の信憑性を保証することができる掲示板システムにおける掲示板提示方法を、提供することである。
【課題を解決するための手段】
【０００５】
上記課題を解決するために案出された本発明による掲示板システムにおける掲示板提示方法の第１の態様は、端末と無線通信するために地上に固定設置された複数の無線設備，ネットワークを介してこれら複数の無線設備と接続された位置情報サーバ，及び、ネットワークを通じてこの位置情報サーバと通信を行うとともに発言毎にその発言内容を記録するデータベースを有する掲示板公開サーバから構築された掲示板システムにおける掲示板提示方法であって、前記位置情報サーバは、何れかの前記無線設備を通じて何れかの端末から発言内容を伴った書込要求メッセージを受信すると、この書込要求メッセージの送信元の端末の位置を割り出し、割り出した位置を示す位置情報を当該書込要求メッセージに組み込み、前記掲示板公開サーバは、前記位置サーバから前記書込要求メッセージを受信すると、この書込要求メッセージ含まれる発言内容及び位置情報を互いに対応付けて前記データベースに記録し、何れかの端末から読出要求メッセージを受信すると、前記データベースから各発言毎の発言内容及び位置情報を読み出して、各発言毎の発言内容及び位置情報を互いに対応付けた状態で表示するための掲示板表示データを、当該読出要求メッセージの送信元端末へ応答することを、特徴とする。
【０００６】
このように構成されると、何れかの無線設備との無線通信を通じて端末から掲示板公サーバに対して掲示板への発言の書込要求メッセージを送信すると、この書込要求メッセージは、無線設備から位置情報サーバへ送信される。この位置情報サーバは、この書込要求メッセージを分析することによってこの書込要求メッセージを発信した端末の位置を割り出し、割り出した位置を示す位置情報をこの書込要求メッセージに組み込み、この書込要求メッセージを掲示板公開サーバへ転送する。書込要求メッセージを受信した掲示板公開サーバは、この書込要求メッセージに含まれる発言内容及び発言位置を互いに対応付けてデータベースに記録する。以後、この掲示板公開サーバは、何れかの端末から掲示板の読出要求メッセージを受信すると、この掲示板公開サーバに記録される各組の発言内容及び位置情報を互いに対応付けた状態で端末の表示装置上に表示させるための掲示板表示データを、当該読出要求メッセージの送信元端末へ応答する。この掲示板表示データによって端末の表示装置上に表示された掲示板画面を見た閲覧者は、各発言の発信された場所を知ることができるので、各発言の内容とその発信位置とを対比することによってその発言内容の信憑性を判断することができる。例えば、ある場所に関する発言がその場所から発信されているのであれば、その発言の信憑性は高いと判断することができる。逆に、ある場所に関する発言をそれ以外の場所から発信されているのであれば、その発言の信憑性は低いと判断することができる。
【０００７】
上記課題を解決するために案出された本発明による掲示板システムにおける掲示板提示方法の第２の態様は、端末と無線通信するために地上に固定設置された複数の無線設備，ネットワークを介してこれら複数の無線設備と接続された位置情報サーバ，及び、ネットワークを介して前記複数の無線設備と接続されているとともに発言毎にその発言内容を記録するデータベースを有する掲示板公開サーバから構築された掲示板システムにおける掲示板提示方法であって、前記端末は、発言の書き込みに先立って何れかの前記無線設備を通じて位置情報サーバに対して位置検出要求メッセージを送信し、この位置検出要求メッセージを受信した前記位置情報サーバは、この位置検出要求メッセージの送信元の端末の位置を割り出し、割り出した位置を示す位置情報をこの位置検出要求メッセージの送信元の端末へ応答し、位置情報を応答された端末は、この位置情報及び発言内容を伴った書込要求メッセージを前記掲示板公開サーバへ送信し、前記掲示板公開サーバは、前記端末から前記書込要求メッセージを受信すると、この書込要求メッセージ含まれる発言内容及び位置情報を互いに対応付けて前記データベースに記録し、何れかの端末から読出要求メッセージを受信すると、前記データベースから各発言毎の発言内容及び位置情報を読み出して、各発言毎の発言内容及び位置情報を互いに対応付けた状態で表示するための掲示板表示データを、当該読出要求メッセージの送信元端末へ応答することを、特徴とする。
【０００８】
このように構成されると、何れかの無線設備との無線通信を通じて端末から掲示板公サーバに対して掲示板への発言の書込要求メッセージを送信するのに先だって、この端末は、位置検出要求メッセージを、この端末と無線通信をしている無線設備を通じて位置情報サーバへ送信する。この位置情報サーバは、この位置検出要求メッセージを分析することによってこの位置検出要求メッセージを発信した端末の位置を割り出し、割り出した位置を示す位置情報を当該位置検出要求メッセージの発信元端末へ応答する。この位置情報の応答を受けた端末は、この位置情報及び発言内容を組み込んだ書込要求メッセージを、無線設備を掲示板公開サーバへ転送する。書込要求メッセージを受信した掲示板公開サーバは、この書込要求メッセージに含まれる発言内容及び発言位置を互いに対応付けてデータベースに記録する。以後、上述した第１の態様の場合と同様に、何れかの端末から掲示板の読出要求メッセージを受信すると、掲示板表示データを応答する。
【０００９】
本発明の各態様において、位置情報サーバは、書込要求メッセージの送信元の端末と無線通信している前記無線設備の設置位置（即ち、この無線設備のカバーエリア）を、当該書込要求メッセージの送信元の端末の位置として割り出しても良いし、端末の存在する地点そのものを割り出しても良い。前者の場合には、位置情報サーバは、書込要求メッセージの送信元の端末と無線通信している無線設備が当該書込要求メッセージを当該位置情報サーバに送信するためのフレームのヘッダに記述される当該無線設備の識別情報を抽出し、予め各無線設備の識別情報をその設置位置と対応付けて記憶しているテーブルを参照して、当該テーブル内において当該抽出した識別情報に対応する設置位置を読み出すことにより、当該書込要求メッセージの送信元の端末の位置を容易に割り出すことができる。この場合、無線設備の識別情報とは、この無線設備が無線ＬＡＮルータであればそのＭＡＣアドレスである。また、前者の場合には、位置情報サーバは、書込要求メッセージの送信元の端末の電話番号に基づいて、この電話番号を有する端末と最後に情報交換をした無線設備の識別情報を特定し、予め各無線設備の識別情報をその設置位置と対応付けて記憶しているテーブルを参照して、当該テーブル内において当該特定した識別情報に対応する設置位置を、当該書込要求メッセージの送信元の端末の位置として割り出すことができる。この場合、無線設備の識別情報とは、この無線設備がＰＨＳ電話網や携帯電話網の地上局であれば、その地上局ＩＤである。他方、後者の場合には、位置情報サーバは、書込要求メッセージの送信元の端末が発信する緯度及び経度情報を受信し、予め経度及び緯度と地名と対応付けて記憶しているテーブルを参照し、当該テーブル内において当該受信した緯度及び経度に対応する地名を、当該書込要求メッセージの送信元の端末の位置として割り出すことができる。この場合、端末は、ＧＰＳ機能を有し、ＧＰＳアンテナによって受信したＧＰＳ信号に基づいて自らの緯度経度を算出して発信できる必要がある。
【発明の効果】
【００１０】
以上のように構成された本発明による掲示板システムによれば、発言者が匿名であったとしても、発言者による発言の発信位置を特定して掲示板に表示することができるので、その発言の信憑性を高めることができる。
【発明を実施するための最良の形態】
【００１１】
以下、図面に基づいて、本発明による掲示板システムの実施の形態を説明する。
【実施形態１】
【００１２】
本発明の第１の実施形態は、無線ＬＡＮ（ローカルエリアネットワーク）を介して相互に接続されたユーザ端末１同士で情報を交換させるために構築され、ユーザ端末１の位置を検出するための位置情報サーバ３が各ユーザ端末１と掲示板公開サーバ４との間に介在している通信システムである。
（システム構成）
図１は、第１実施形態による通信システムの概略構成を示すブロック図である。この図１に示されるように、この通信システムは、多数のユーザ端末１（図１においては一台のみ図示）と、各ユーザ端末１と無線接続するために各地域に夫々設置されているとともにネットワーク（イーサネット)Nを介して互いに有線接続された複数台の無線ＬＡＮルータ２と、このネットワークＮに接続された位置情報サーバ３と、この位置情報サーバ３との間でインターネットＩを通じて通信可能な掲示板公開サーバ４とから、構成されている。
【００１３】
ユーザ端末１は、無線ＬＡＮカードを内蔵するとともにウェブ閲覧のために必要なハードウェア（ＣＰＵ，記憶装置，表示装置，入力装置）及びソフトウェア（通信機能を有するオペレーティングシステム，ウェブブラウザ）を備えた所謂ＰＤＡ（Personal Digital Assistant）である。
【００１４】
また、無線ＬＡＮルータ２は、公知の市販品である。各無線ＬＡＮルータ２は、夫々のカバーエリア（ユーザ端末１と通信可能な場所的範囲）同士が互いに重ならないように、互いに離間して設置されている。例えば、遊園地における各施設の前に、各無線ＬＡＮルータが設置されている。
【００１５】
また、位置情報サーバ３は、ユーザ端末１からインターネットＩ上の何れかのサイトへ送信されたＨＴＴＰリクエストメッセージを中継してインターネットＩへ送り出すとともに、インターネットＩから受信した各ユーザ端末１のＩＰアドレス宛のＨＴＴＰレスポンスメッセージを、当該ユーザ端末１に無線接続された無線ＬＡＮルータ２へ送信する。また、位置情報サーバ３は、ユーザ端末１から掲示板公開サーバ４へ向けて送信された書込要求メッセージ（各無線ＬＡＮルータ２によってイーサネットフレームに格納された状態で送られてきたＩＰパケット中のＨＴＴＰリクエストメッセージ ）を検出すると、そのイーサネットフレームのヘッダに含まれるソースＭＡＣアドレス（即ち、無線ＬＡＮルータ２中のＭＡＣアドレス）に基づいて、メッセージ送信元ユーザ端末１に無線接続された無線ＬＡＮルータ２が設置されている位置を判別し、判別した位置を示す「発言位置」の情報を当該書込要求メッセージに追加して、掲示板公開サーバ４へ転送する。
【００１６】
位置情報サーバ３のハードウェアは、互いにバスＢによって接続されたＣＰＵ３０，イーサネット用ＮＩＣ（Network Interface Card）３１，インターネット用ＮＩＣ３２，ＲＡＭ３３及びハードディスク３４から、構成されている。これらのうち、ＣＰＵ３０は、位置情報サーバ３全体の制御を行う中央処理装置である。また、ＲＡＭ３３は、ＣＰＵ３０が各種処理を実行するに際しての作業領域が展開される主記憶装置である。また、イーサネット用ＮＩＣ３１は、イーサネットＮとのインターフェースをなす通信装置である。また、インターネット用ＮＩＣ３２は、インターネットＩが構築されている回線（インターネットバックボーン）とのインターフェースをなす通信装置である。
【００１７】
ハードディスク３４は、ＣＰＵ３０によって読み出されて実行される各種プログラム及び各種データを格納する外部記憶装置である。このハードディスク３４に格納されるデータとしては、ＭＡＣアドレス−位置対応テーブル３５が含まれており、プログラムとしては、位置情報サーバプログラム３６が含まれている。図２は、このＭＡＣアドレス−位置対応テーブル３５のデータ構造を示す表である。この図２に示されるように、このＭＡＣアドレス−位置対応テーブル３５は、イーサネットＮに接続されている各無線ＬＡＮルータ２毎に、そのＭＡＣアドレスとその設置位置とを対応付けて記録したテーブル形式のデータである。位置情報サーバプログラム３６は、ＣＰＵ３０に対して、ＭＡＣアドレス−位置対応テーブル３５を参照させて、上述した位置情報サーバ３の機能を実現させる。
【００１８】
掲示板公開サーバ４は、その掲示板の表示項目として「発言位置」が含まれていることを除き、従来公知の通常の掲示板公開サーバである。即ち、この掲示板公開サーバ４は、通常のインターネットサーバ装置としてのハードウェア（ＣＰＵ，ＲＡＭ，ハードディスク）及びソフトウェア（オペレーティングシステム，Ｗｅｂサーバプログラム，掲示板表示に関する幾つかのＣＧＩプログラム）を有している。そして、そのハードディスク内には、掲示板データベース４１が格納されている。この掲示板データベース４１における個々の発言毎のレコードには、図３に示すように、上述した従来のものと同じ「発言日時」，「発言者名」，「発言内容」の他、「発言位置」の項目が含まれている。
【００１９】
そして、掲示板公開サーバ４は、位置情報サーバ３経由でユーザ端末１から、若しくは、位置情報サーバ３を経由することなく一般のインターネット端末（図示略）から閲覧要求ＨＴＴＰリクエストメッセージを受信すると、最新の発言から順番に所定数の発言についての情報を掲示板データベース４１から読み出し、これら各発言に関する情報（「発言日時」，「発言者名」，「発言内容」，「発言位置」等の項目の情報）と書込用フォームとを組み込んだ掲示板表示用ＨＴＭＬデータをアクティブに生成し、この掲示板表示用ＨＴＭＬデータを含むＨＴＴＰレスポンスメッセージを、要求元ユーザ端末１又はインターネット端末（図示略）へ応答する。図４は、この掲示板表示用ＨＴＭＬデータに基づいて表示される掲示板画面の例である。なお、この掲示板画面に含まれる書込用フォームには、「発言者名」欄４２，及び「発言内容」欄４３は含まれているが、「発言日時」及び「発言位置」を書き込むための如何なる欄も無い。また、この掲示板表示用ＨＴＭＬデータには、各欄４２，４３に夫々情報が書き込まれた状態で送信ボタン４４がクリックされると、これら「発言者名」欄４２，「発言内容」欄４３に書き込まれた情報を夫々「発言者名」の情報，「発言内容」の情報として含む書込要求ＨＴＴＰリクエストメッセージを掲示板公開サーバ４へ送信させる設定（Formタグ）が、含まれている。
【００２０】
また、掲示板公開サーバ４は、位置情報サーバ３経由で何れかのユーザ端末１からの「発言位置」の情報を含む書込要求ＨＴＴＰリクエストメッセージを受信すると、この書込要求ＨＴＴＰリクエストメッセージを受信した日時を発言日時として自動生成し、書込要求メッセージ中の「発言者」の情報，「発言内容」の情報，「発言位置」の情報と発言日時とを記録した新規レコードを、掲示板データベース４１に追加するとともに、レコード追加後の掲示板データベース４１から新たに読み出した所定数の発言についてのデータと書込用フォームとを組み込んだ掲示板表示用ＨＴＭＬデータをアクティブに生成し、この掲示板表示用ＨＴＭＬデータを含むＨＴＴＰレスポンスメッセージを、要求元ユーザ端末１へ応答する。その結果、掲示板画面上において、この発言の発言内容には、図４に示すように、その発言日時及び発言者名とともに、発言位置が付記されるのである。
【００２１】
また、掲示板公開サーバ４は、位置情報サーバ３経由することなく一般のインターネット端末（図示略）からの「発言位置」の情報を含まない書込要求ＨＴＴＰリクエストメッセージを受信すると、この書込要求メッセージを受信した日時を発言日時として自動生成し、書込要求ＨＴＴＰリクエストメッセージ中の「発言者」の情報，「発言内容」の情報と発言日時とを記録した新規レコードを、掲示板データベース４１に追加するとともに、レコード追加後の掲示板データベース４１から新たに読み出した所定数の発言についての情報と書込用フォームとを組み込んだ掲示板表示用ＨＴＭＬデータをアクティブに生成し、この掲示板表示用ＨＴＭＬデータを含むＨＴＴＰレスポンスメッセージを、要求元ユーザ端末１へ応答する。なお、この場合、掲示板データベース４１に新規追加されたレコード中の「発言位置」の項目は空欄となるので、掲示板画面上においても、この発言の発言内容には、発言位置が付記されない。
（処理内容）
次に、上述した第１実施形態の通信システムにおけるユーザ端末１の動作（オペレーティングシステム及びＷｅｂブラウザに従って図示せぬＣＰＵが実行する処理），位置情報サーバ３の動作（位置情報サーバプログラム３６に従ってＣＰＵ３０が実行する処理）及び掲示板公開サーバ４の動作（オペレーティングシステム，Ｗｅｂサーバプログラム及び各ＣＧＩプログラムに従って図示せぬＣＰＵが実行する処理）のうち本発明に関連する部分を、図５のフローチャートを参照して説明する。
【００２２】
最初に、上述したようにしてユーザ端末１の図示せぬ表示装置上に表示されている掲示板画面中の書き込みフォームの各欄４２，４３に情報を書き込んだ状態でユーザが送信ボタン４４をクリックすると、ユーザ端末１は、Ｓ００１において、掲示板システムのＵＲＬを指定するととともに「発言者名」欄４２，「発言内容」欄４３に書き込まれた情報を夫々「発言者名」の情報，「発言内容」の情報として含む書込要求ＨＴＴＰリクエストメッセージを送信し、次のＳ００２において、この書込要求ＨＴＴＰリクエストメッセージに対するレスポンスメッセージを待つ。Ｓ００１にてユーザ端末１から送信された書込要求ＨＴＴＰリクエストメッセージを受信した無線ＬＡＮルータ２は、この書込要求ＨＴＴＰリクエストメッセージをペイロードに格納するとともに、自己のＭＡＣアドレスを「ソースＭＡＣアドレス」としてヘッダに含むイーサネットフレームを、位置情報サーバ３へ送信する。
【００２３】
位置情報サーバ３のＣＰＵ３０は、何れかの無線ＬＡＮルータ２からのイーサネットフレームの受信をＳ０１０にて待っており、何れかのイーサネットフレームをイーサネット用ＮＩＣ３１が受信すると、次のＳ０１１において、イーサネット用ＮＩＣ３１に対して、このイーサネットフレームのペイロードから書込要求ＨＴＴＰリクエストメッセージを抽出させるとともに、そのヘッダからソースＭＡＣアドレスを抽出させる。
【００２４】
次のＳ０１２では、ＣＰＵ３０は、Ｓ０１１にて抽出されたソースＭＡＣアドレスに基づいてＭＡＣアドレス−位置対応テーブル３５を検索し、このソースＭＡＣアドレスに対応付けられている位置の情報を読み出す。
【００２５】
次のＳ０１３では、ＣＰＵ３０は、Ｓ０１１にてイーサネットフレームから抽出した書込要求ＨＴＴＰリクエストメッセージにＳ０１２にて読み出した位置情報を組み込んで、掲示板公開サーバ４へ向けて送信する。ＣＰＵ３０は、Ｓ０１３の完了後、Ｓ０１４において、掲示板公開サーバ４からの応答を待つ。
【００２６】
掲示板公開サーバ４は、ＨＴＴＰリクエストメッセージをＳ０２０にて待っており、何れかの書込要求ＨＴＴＰリクエストメッセージを受信すると、次のＳ０２１において、書込要求ＨＴＴＰリクエストメッセージを受信した日時を発言日時として自動生成し、この書込要求ＨＴＴＰリクエストメッセージ中の「発言者」の情報，「発言内容」の情報，「発言位置」の情報と発言日時とを記録した新規レコードを、掲示板データベース４１に追加する。
【００２７】
次のＳ０２２では、掲示板公開サーバ４は、Ｓ０２１にてレコードの追加を完了した掲示板データベース４１から、Ｓ０２１にて追加したレコードを含む最新の所定数のレコードの内容を読み出し、これらレコード中の情報（「発言日時」，「発言者名」，「発言内容」，「発言位置」等の項目の情報）と書込用フォームとを組み込んだ掲示板表示用ＨＴＭＬデータをアクティブに生成し、この掲示板表示用ＨＴＭＬデータを含むＨＴＴＰレスポンスメッセージを、要求元ユーザ端末１へ向けて送出する。Ｓ０２２を完了すると、掲示板公開サーバ４は、次のＨＴＴＰリクエストメッセージを待つために、処理をＳ０２０へ戻す。
【００２８】
Ｓ０２２にて掲示板公開サーバ４から送出されたＨＴＴＰレスポンスメッセージは、位置情報サーバ３を経由する。そのため、位置情報サーバ３のＣＰＵ３０は、Ｓ０１４にてこのＨＴＴＰレスポンスメッセージを受信して、次のＳ０１５において、このＨＴＴＰレスポンスメッセージを、何れかの無線ＬＡＮルータ２経由で要求元ユーザ端末１へ転送する。すると、ユーザ端末１は、Ｓ００２にてこのＨＴＴＰレスポンスメッセージを受信して、このＨＴＴＰレスポンスメッセージ中の掲示板表示用ＨＴＭＬデータに基づいて掲示板画面の表示を行う。
（作用効果）                                                                     以上のように構成された本実施形態によると、無線ＬＡＮルータ２に対して無線接続されたユーザ端末１から発信された発言については、その無線ＬＡＮルータ２の設置位置が、発言位置として付記された状態で、掲示板画面上に表示される。従って、この掲示板画面を閲覧している第三者は、その発言者が発言を実際に送信した場所を確実に知ることができるので、その発言の内容と発言位置とを見比べることにより、その発言内容の信憑性を判断することができる。例えば、ある場所にしか存在しない事柄についての発言をその場所から発信しているのであれば、その発言者はその事項をリアルタイムで体験していると考えられるので、その発言の信憑性は高いものと判断することができる。これに対して、ある場所にしか存在しない事柄についての発言をそれ以外の場所から発信しているか、一般のインターネット端末から発信している（発言位置が発言に添付されていない場合）のであれば、その発言者はその事項をリアルタイムでは経験していないと考えられるので、その発言の信憑性は低いと判断することができる。
（変形例）
本実施形態において、ユーザ端末１として、無線ＬＡＮカードを内蔵したＰＤＡの代わりに、無線ＬＡＮカードを内蔵したパソコンや、無線ＬＡＮアダプタを内蔵したＰＨＳ電話機が用いられても良い。
【実施形態２】
【００２９】
本発明の第２の実施形態は、ＰＨＳ通信網Ｎを介して相互に接続されたユーザ端末１０１同士で情報を交換させるために構築され、ユーザ端末１０１の位置を検出するための位置情報センター１０３が各ユーザ端末１０１と掲示板公開サーバ１０４との間に介在している通信システムである。
（システム構成）
図６は、第２実施形態による通信システムの概略構成を示すブロック図である。この図６に示されるように、この通信システムは、多数のユーザ端末１０１（図６においては一台のみ図示）と、各ユーザ端末１０１と無線接続するために各地域に夫々設置されている複数台の基地局１０２と、ＰＨＳ通信網の地上設備を通じてこれらの基地局１０２に接続された位置情報センター１０３と、この位置情報センター１０３との間でインターネットＩを通じて通信可能な掲示板公開サーバ１０４とから、構成されている。
【００３０】
ユーザ端末１０１は、ウェブ閲覧のために必要なハードウェア（ＣＰＵ，記憶装置，表示装置，入力装置）及びソフトウェア（通信機能を有するオペレーティングシステム，ウェブブラウザ）を備えたＰＨＳ電話機である。
【００３１】
また、基地局１０２は、ＰＨＳ電話機との間で電波の送受信を行うアンテナを備えているとともに道路脇等に固定的に設置されてＰＨＳ通信システムを構成する公知の無線設備である。各基地局１０２は、夫々のカバーエリア（ユーザ端末１０１と通信可能な場所的範囲）同士が互いに重ならないように、互いに離間して設置されている。なお、各基地局１０２は、通信中であるか否かに関わりなく、定期的に自己のカバーエリア内に存在するＰＨＳ電話機との間で情報の交換を行うので、自己のカバーエリア内に現存する全ＰＨＳ電話機の電話番号を常時認識している。また、各基地局１０２には、夫々、一意の基地局ＩＤが割り当てられている。そして、基地局１０２は、位置情報センター１０３から何れかのＰＨＳ電話機の位置情報探知の依頼を受けると、依頼された電話番号のＰＨＳ電話機が自己のカバーエリア内に存在する場合には、自己の基地局ＩＤを、そのＰＨＳ電話機の位置情報として位置情報センター１０３に応答するのである。
【００３２】
また、位置情報センター１０３は、ユーザ端末１０１からインターネットＩ上の何れかのサイトへ送信されたＨＴＴＰリクエストメッセージを中継してインターネットＩへ送り出すとともに、インターネットＩから受信した各ユーザ端末１０１のＩＰアドレス宛のＨＴＴＰレスポンスメッセージを、当該ユーザ端末１０１に無線接続された基地局１０２へ送信する。また、位置情報センター１０３は、ユーザ端末１０１から掲示板公開サーバ１０４へ向けて送信された書込要求メッセージを検出すると、メッセージ送信元のユーザ端末の電話番号を指定して各基地局１０２に対して位置情報探知の依頼を行い、その応答として何れかの基地局１０２から通知される基地局ＩＤに基づいて、メッセージ送信元ユーザ端末１０１をそのカバーエリア内に含む基地局１０２が設置されている位置を判別し、判別した位置を示す「発言位置」の情報を当該書込要求メッセージに追加して、掲示板公開サーバ１０４へ転送する。
【００３３】
位置情報センター１０３のハードウェアは、互いにバスＢによって接続されたＣＰＵ１３０，終端器１３１，インターネット用ＮＩＣ１３２，ＲＡＭ１３３及びハードディスク１３４から、構成されている。これらのうち、ＣＰＵ１３０は、位置情報センター１０３全体の制御を行う中央処理装置である。また、ＲＡＭ１３３は、ＣＰＵ１３０が各種処理を実行するに際しての作業領域が展開される主記憶装置である。
【００３４】
また、終端器１３１は、ＰＨＳ通信網の回線を終端させるインターフェースとしての通信装置である。即ち、この終端器１３１とユーザ端末１０１との間のデータ通信は、その通信内容をペイロードに格納したパケットの交換によって行われる。各パケットのヘッダには発信元の電話番号と発信先の電話番号が組み込まれている。従って、この終端器１０３は、パケットのヘッダを見ることによって、そのパケットがどのユーザ端末１０１から発信されたかを知ることができる。
【００３５】
また、インターネット用ＮＩＣ１３２は、インターネットＩが構築されている回線（インターネットバックボーン）とのインターフェースをなす通信装置である。
【００３６】
ハードディスク１３４は、ＣＰＵ１３０によって読み出されて実行される各種プログラム及び各種データを格納する外部記憶装置である。このハードディスク１３４に格納されるデータとしては、基地局ＩＤ−位置対応テーブル１３５が含まれており、プログラムとしては、位置情報サーバプログラム１３６が含まれている。図７は、この基地局ＩＤ−位置対応テーブル１３５のデータ構造を示す表である。この図７に示されるように、この基地局ＩＤ−位置対応テーブル１３５は、各基地局１０２毎に、その基地局ＩＤとその設置位置とを対応付けて記録したテーブル形式のデータである。位置情報サーバプログラム１３６は、ＣＰＵ１３０に対して、基地局ＩＤ−位置対応テーブル１３５を参照させて、上述した位置情報センター１０３の機能を実現させる。
【００３７】
掲示板公開サーバ１０４は、通信相手が位置情報サーバ３ではなく位置情報センター１０３である点を除いて、上述した第１実施形態の掲示板公開サーバ４と全く同じものであるので、その説明を省略する。
（処理内容）
次に、上述した第２実施形態の通信システムにおけるユーザ端末１０１の動作（オペレーティングシステム及びＷｅｂブラウザに従って図示せぬＣＰＵが実行する処理），位置情報センター１０３の動作（位置情報サーバプログラム１３６に従ってＣＰＵ１３０が実行する処理）及び掲示板公開サーバ１０４の動作（オペレーティングシステム，Ｗｅｂサーバプログラム及び各ＣＧＩプログラムに従って図示せぬＣＰＵが実行する処理）のうち本発明に関連する部分を、図９のフローチャートを参照して説明する。
【００３８】
最初に、ユーザ端末１０１の図示せぬ表示装置上に表示されている掲示板画面中の書き込みフォームの各欄（図８に示す掲示板画面における「発言者名」欄４２，「発言内容」欄４３）に夫々情報を書き込んだ状態でユーザが送信ボタン４４に対応したキーを押下すると、ユーザ端末１０１は、Ｓ１０１において、掲示板システムのＵＲＬを指定するとともに「発言者名」欄４２，「発言内容」欄４３に書き込まれた情報を夫々「発言者名」の情報，「発言内容」の情報として含む書込要求ＨＴＴＰリクエストメッセージを生成し、この書込要求ＨＴＴＰリクエストメッセージをペイロードに格納するとともに自己の電話番号を発信元電話番号としてヘッダに記述したパケットを送信し、次のＳ１０２において、この書込要求ＨＴＴＰリクエストメッセージに対するレスポンスメッセージを待つ。Ｓ１０１にてユーザ端末１０１から送信されたパケットは、基地局１０２を通じて位置情報センター１０３へ送信される。
【００３９】
位置情報センター１０３のＣＰＵ１３０は、何れかのユーザ端末１０１からのパケットの受信をＳ１１０にて待っており、何れかのユーザ端末１０１からのパケットを終端器１３１が受信すると、次のＳ１１１において、終端器１３１に対して、このパケットのペイロードから書込要求ＨＴＴＰリクエストメッセージを抽出させるとともに、そのヘッダから発信元電話番号を抽出させる。そして、抽出した発信元電話番号を指定した位置情報探知の依頼を各基地局１０２に送信することによって、その発信元ユーザ端末１０１のユーザ端末１０１がカバーエリア内に存在している基地局１０２の基地局ＩＤを取得する。
【００４０】
なお、ＰＨＳ通信通信網Ｎが、ユーザ端末１０１が自己と直接通信する基地局１０２の基地局ＩＤをこの基地局１０２との間の通信を通じて予め取得できるものであった場合には、その基地局ＩＤを含む書込要求ＨＴＴＰリクエストメッセージを送信するように掲示板表示用ＨＴＭＬデータを設定しておく。そして、位置情報センター１０３のＣＰＵ１３０は、何れかのユーザ端末１０１からのパケットを終端器１３１が受信すると、次のＳ１１１において、終端器１３１に対して、このパケットのペイロードから書込要求ＨＴＴＰリクエストメッセージを抽出させ、その書込要求ＨＴＴＰリクエストメッセージから、その発信元ユーザ端末１０１がカバーエリア内に存在している基地局１０２の基地局ＩＤを取得する。なお、基地局ＩＤは、パケットのヘッダに書き込まれていても良い。
【００４１】
次のＳ１１２では、ＣＰＵ１３０は、Ｓ１１１にて取得した基地局ＩＤに基づいて基地局ＩＤ−位置対応テーブル１３５を検索し、この基地局ＩＤに対応付けられている位置の情報を読み出す。
【００４２】
次のＳ１１３では、ＣＰＵ１３０は、Ｓ１１１にてパケットから抽出した書込要求ＨＴＴＰリクエストメッセージにＳ１１２にて読み出した位置情報を組み込んで、掲示板公開サーバ１０４へ向けて送信する。ＣＰＵ１３０は、Ｓ１１３の完了後、Ｓ１１４において、掲示板公開サーバ１０４からの応答を待つ。
【００４３】
掲示板公開サーバ１０４は、ＨＴＴＰリクエストメッセージをＳ１２０にて待っており、何れかの書込要求ＨＴＴＰリクエストメッセージを受信すると、次のＳ１２１において、書込要求ＨＴＴＰリクエストメッセージを受信した日時を発言日時として自動生成し、この書込要求ＨＴＴＰリクエストメッセージ中の「発言者」の情報，「発言内容」の情報，「発言位置」の情報と発言日時とを記録した新規レコードを、掲示板データベース１４１に追加する。
【００４４】
次のＳ１２２では、掲示板公開サーバ１０４は、Ｓ１２１にてレコードの追加を完了した掲示板データベース１４１から、Ｓ１２１にて追加したレコードを含む最新の所定数のレコードの内容を読み出し、これらレコード中の情報（「発言日時」，「発言者名」，「発言内容」，「発言位置」等の項目の情報）と書込用フォームとを組み込んだ掲示板表示用ＨＴＭＬデータをアクティブに生成し、この掲示板表示用ＨＴＭＬデータを含むＨＴＴＰレスポンスメッセージを、要求元ユーザ端末１へ向けて送出する。Ｓ１２２を完了すると、掲示板公開サーバ１０４は、次のＨＴＴＰリクエストメッセージを待つために、処理をＳ１２０へ戻す。
【００４５】
Ｓ１２２にて掲示板公開サーバ１０４から送出されたＨＴＴＰレスポンスメッセージは、位置情報センター１０３を経由する。そのため、位置情報センター１０３のＣＰＵ１３０は、Ｓ１１４にてこのＨＴＴＰレスポンスメッセージを受信して、次のＳ１１５において、終端器１３１に対して、このＨＴＴＰレスポンスメッセージをパケットに格納させて、要求元ユーザ端末１０１へ送信させる。すると、ユーザ端末１は、Ｓ１０２にてこのパケットを受信して、このパケット内のＨＴＴＰレスポンスメッセージ中の掲示板表示用ＨＴＭＬデータに基づいて掲示板画面の表示を行う。
（作用効果）
以上のように構成された本実施形態によると、基地局１０２に対して無線接続されたユーザ端末１０１から発信された発言については、その基地局１０２の設置位置が、発言位置として付記された状態で、掲示板画面上に表示される。従って、この掲示板画面を閲覧している第三者は、その発言者が発言を実際に送信した場所を確実に知ることができるので、その発言の内容と発言位置とを見比べることにより、その発言内容の信憑性を判断することができる。
（変形例）
本実施形態において用いた位置検出の方法を、携帯電話網に適用し、ユーザ端末１０１を携帯電話機、基地局１０２を携帯電話網の基地局としても良い。さらに、ＰＨＳ電話機及び携帯電話機の代わりに、パソコン又はＰＤＡに接続されたＰＨＳ電話機（ＰＨＳカード）又は携帯電話機（携帯電話カード）が用いられても良い。
【実施形態３】
【００４６】
本発明の第３の実施形態は、ＰＨＳ通信網Ｎを介して相互に接続されたユーザ端末２０１同士で情報を交換させるために構築され、各ユーザ端末２０１がＧＰＳ（Grobal Positioning  System）機能を有することを前提に、ユーザ端末２０１がＧＰＳ機能によって取得した経度−緯度情報に基づいてこのユーザ端末２０１の現在地の地名を割り出す位置情報サーバ２０３が各ユーザ端末２０１と掲示板公開サーバ２０４との間に介在している通信システムである。
（システム構成）
図１０は、第３実施形態による通信システムの概略構成を示すブロック図である。この図１０に示されるように、この通信システムは、多数のユーザ端末２０１（図１０においては一台のみ図示）と、各ユーザ端末２０１と無線接続するために各地域に夫々設置されている複数台の基地局２０２（図１０においては一台のみ図示）と、ＰＨＳ通信網の地上設備を通じてこれらの基地局２０２に接続された位置情報サーバ２０３と、この位置情報サーバ２０３との間でインターネットＩを通じて通信可能な掲示板公開サーバ２０４とから、構成されている。
【００４７】
ユーザ端末２０１は、ウェブ閲覧のために必要なハードウェア（ＣＰＵ，記憶装置，表示装置，入力装置）及びソフトウェア（通信機能を有するオペレーティングシステム，ウェブブラウザ）を備えるとともに、ＧＰＳ位置検出機能を実現するためのハードウェア（ＧＰＳアンテナ）及びソフトウェア（緯度・経度算出プログラム）を内蔵したたＰＨＳ電話機である。このＧＰＳ位置検出機能については、公知であるので詳しい説明は省略するが、簡単に述べると、最少３個のＧＰＳ衛星Ｇから発信されるＧＰＳ信号（時刻情報及び衛星識別情報を搬送する信号）をＧＰＳアンテナで受信し、各ＧＰＳ信号に含まれる時刻情報同士の相対的ズレに基づいてこれらＧＰＳ衛星の位置に対する自己の相対位置として、自己の現在位置（緯度及び経度）を算出するというものである。なお、このＧＰＳ位置検出機能を利用した位置検出は、予め設定された所定周期で行われる。また、このユーザ端末２０１からのデータ送信は、メッセージをパケットのペイロードに格納することによって行われるが、このパケット内（ヘッダ内若しくはペイロード内）には、最新の位置検出によって得られた緯度・経度が記述される。
【００４８】
また、基地局２０２は、上述した第２実施形態における基地局２０１と全く同じであるので、その説明を省略する。
【００４９】
また、位置情報サーバ２０３は、ユーザ端末２０１からインターネットＩ上の何れかのサイトへ送信されたＨＴＴＰリクエストメッセージを中継してインターネットＩへ送り出すとともに、インターネットＩから受信した各ユーザ端末２０１のＩＰアドレス宛のＨＴＴＰレスポンスメッセージを、当該ユーザ端末２０１に無線接続された基地局２０２へ送信する。また、位置情報サーバ２０３は、ユーザ端末２０１から掲示板公開サーバ２０４へ向けて送信された書込要求メッセージを検出すると、この書込要求メッセージをユーザ端末２０１から終端器２３１まで搬送したパケット内（ヘッダ内若しくはペイロード内）に記述された緯度・経度に基づいて当該ユーザ端末２０１が存在する位置の地名（住所）を判別し、判別した地名（住所）を示す「発言位置」の情報を当該書込要求メッセージに追加して、掲示板公開サーバ２０４へ転送する。
【００５０】
位置情報サーバ２０３のハードウェアは、互いにバスＢによって接続されたＣＰＵ２３０，終端器２３１，インターネット用ＮＩＣ２３２，ＲＡＭ２３３及びハードディスク２３４から構成されている。そのうち、ＣＰＵ２３０，終端器２３１，インターネット用ＮＩＣ２３２及びＲＡＭ２３３の機能は、上述した第２実施形態における位置情報センター１０３のものと全く同じであるので、その説明を省略する。
【００５１】
ハードディスク２３４は、ＣＰＵ２３０によって読み出されて実行される各種プログラム及び各種データを格納する外部記憶装置である。このハードディスク２３４に格納されるデータとしては、緯度経度−位置対応テーブル２３５が含まれており、プログラムとしては、位置情報サーバプログラム２３６が含まれている。この緯度経度−位置対応テーブル２３５は、緯度経度を各軸とする座標上において、各住所が示す範囲をマッピングした、二次元状の論理構造を有するデータである。位置情報サーバプログラム２３６は、ＣＰＵ２３０に対して、緯度経度−位置対応テーブル２３５を参照させて、上述した位置情報サーバ２０３の機能を実現させる。
【００５２】
掲示板公開サーバ２０４は、通信相手が位置情報サーバ３ではなく位置情報サーバ２０３である点を除いて、上述した第１実施形態の掲示板公開サーバ４と全く同じものであるので、その説明を省略する。
（処理内容）
次に、上述した第３実施形態の通信システムにおけるユーザ端末２０１の動作（オペレーティングシステム及びＷｅｂブラウザに従って図示せぬＣＰＵが実行する処理），位置情報サーバ２０３の動作（位置情報サーバプログラム２３６に従ってＣＰＵ２３０が実行する処理）及び掲示板公開サーバ２０４の動作（オペレーティングシステム，Ｗｅｂサーバプログラム及び各ＣＧＩプログラムに従って図示せぬＣＰＵが実行する処理）のうち本発明に関連する部分を、図１１のフローチャートを参照して説明する。
【００５３】
最初に、ユーザ端末２０１の図示せぬ表示装置上に表示されている掲示板中の書き込みフォームの各欄（図８に示す掲示板画面における「発言者名」欄４２，「発言内容」欄４３）に夫々情報を書き込んだ状態でユーザが送信ボタン４４に対応したキーを押下すると、ユーザ端末２０１は、Ｓ２０１において、掲示板システムのＵＲＬを指定するとともに「発言者名」欄４２，「発言内容」欄４３に書き込まれた情報を夫々「発言者名」の情報，「発言内容」の情報として含む書込要求ＨＴＴＰリクエストメッセージを生成し、この書込要求ＨＴＴＰリクエストメッセージをペイロードに格納するとともに最新に検出された緯度・経度をヘッダ内若しくはペイロード内に記述したパケットを送信し、次のＳ２０２において、この書込要求ＨＴＴＰリクエストメッセージに対するレスポンスメッセージを待つ。Ｓ２０１にてユーザ端末２０１から送信されたパケットは、基地局２０２を通じて位置情報サーバ２０３へ送信される。
【００５４】
位置情報サーバ２０３のＣＰＵ２３０は、何れかのユーザ端末２０１からのパケットの受信をＳ２１０にて待っており、何れかのユーザ端末２０１からのパケットを終端器２３１が受信すると、次のＳ２１１において、終端器２３１に対して、このパケットのペイロードから書込要求ＨＴＴＰリクエストメッセージを抽出させるとともに、そのヘッダから発信元ユーザ端末２０１の緯度・経度を抽出させる。
【００５５】
次のＳ２１２では、ＣＰＵ１３０は、Ｓ２１１にて取得した緯度・経度に基づいて緯度経度−位置対応テーブル２３５を検索し、この緯度・経度に相当する地名（住所）を読み出す。
【００５６】
次のＳ２１３では、ＣＰＵ２３０は、Ｓ２１１にてパケットから抽出した書込要求ＨＴＴＰリクエストメッセージにＳ２１２にて読み出した地名（住所）を「発信位置」の情報として組み込んで、掲示板公開サーバ２０４へ向けて送信する。ＣＰＵ２３０は、Ｓ２１３の完了後、Ｓ２１４において、掲示板公開サーバ２０４からの応答を待つ。
【００５７】
掲示板公開サーバ２０４は、ＨＴＴＰリクエストメッセージをＳ２２０にて待っており、何れかの書込要求ＨＴＴＰリクエストメッセージを受信すると、次のＳ２２１において、書込要求ＨＴＴＰリクエストメッセージを受信した日時を発言日時として自動生成し、この書込要求ＨＴＴＰリクエストメッセージ中の「発言者」の情報，「発言内容」の情報，「発言位置」の情報と発言日時とを記録した新規レコードを、掲示板データベース２４１に追加する。
【００５８】
次のＳ２２２では、掲示板公開サーバ２０４は、Ｓ２２１にてレコードの追加を完了した掲示板データベース２４１から、Ｓ２２１にて追加したレコードを含む最新の所定数のレコードの内容を読み出し、これらレコード中の情報（「発言日時」，「発言者名」，「発言内容」，「発言位置」等の項目の情報）と書込用フォームとを組み込んだ掲示板表示用ＨＴＭＬデータをアクティブに生成し、この掲示板表示用ＨＴＭＬデータを含むＨＴＴＰレスポンスメッセージを、要求元ユーザ端末２０１へ向けて送出する。Ｓ２２２を完了すると、掲示板公開サーバ２０４は、次のＨＴＴＰリクエストメッセージを待つために、処理をＳ２２０へ戻す。
【００５９】
Ｓ２２２にて掲示板公開サーバ２０４から送出されたＨＴＴＰレスポンスメッセージは、位置情報サーバ２０３を経由する。そのため、位置情報サーバ２０３のＣＰＵ２３０は、Ｓ２１４にてこのＨＴＴＰレスポンスメッセージを受信して、次のＳ２１５において、終端器２３１に対して、このＨＴＴＰレスポンスメッセージをパケットに格納させて、要求元ユーザ端末２０１へ送信させる。すると、ユーザ端末２は、Ｓ２０２にてこのパケットを受信して、このパケット内のＨＴＴＰレスポンスメッセージ中の掲示板表示用ＨＴＭＬデータに基づいて掲示板画面の表示を行う。
（作用効果）
以上のように構成された本実施形態によると、第２実施形態と同じ作用効果が得られる。しかも、上述した第２実施形態においてユーザ端末１０１の位置が各基地局１０２のカバーエリア単位の精度でしか検出できなかったのに比べて、本実施形態によると、ユーザ端末２０１が実際に存在している地名（住所）の単位で検出することができる。従って、掲示板画面に表示される発信位置がより厳密になるので、発言内容の信憑性をより厳密に判断することができる。
（変形例）
本実施形態において用いた位置検出の方法（即ち、ユーザ端末２０１においてＧＰＳ機能を用いて緯度・経度を測定し、位置情報サーバ２０３において緯度・経度を地名に変換する方法）を、第１実施形態のような無線ＬＡＮをベースとした通信システムに適用しても良い。また、本実施形態において用いた位置検出の方法を、携帯電話網に適用し、ユーザ端末２０１をＧＰＳ位置検出機能を有する携帯電話機、基地局２０２を携帯電話網の基地局としても良い。さらに、ＧＰＳ位置検出機能を有するＰＨＳ電話機及び携帯電話機の代わりに、ＧＰＳ位置検出機能を有するパソコン又はＰＤＡに接続されたＰＨＳ電話機（ＰＨＳカード）又は携帯電話機（携帯電話カード）が用いられても良い。
【実施形態４】
【００６０】
本発明の第４の実施形態は、無線ＬＡＮ（ローカルエリアネットワーク）を介して相互に接続されたユーザ端末３０１同士で情報を交換させるために構築され、ユーザ端末３０１からの要求に応じて当該ユーザ端末３０１の位置を検出して応答する位置情報サーバ３０３を、掲示板公開サーバ３０４と併設した通信システムである。
（システム構成）
図１２は、第４実施形態による通信システムの概略構成を示すブロック図である。この図１２に示されるように、この通信システムは、多数のユーザ端末３０１（図１２においては一台のみ図示）と、各ユーザ端末３０１と無線接続するために各地域に夫々設置されているとともにネットワーク（イーサネット)Nを介して互いに有線接続された複数台の無線ＬＡＮルータ３０２と、このネットワークＮに接続された位置情報サーバ３０３と、このネットワークＮに接続された掲示板公開サーバ３０４とから、構成されている。
【００６１】
ユーザ端末３０１及び無線ＬＡＮルータ３０２は、上述した第１実施形態のものと同じであるので、その説明を省略する。
【００６２】
また、位置情報サーバ３０３は、ユーザ端末１から自己宛のイーサネットフレーム（位置問い合わせメッセージを格納したイーサネットフレーム）を受信すると、そのイーサネットフレームのヘッダに含まれるソースＭＡＣアドレス（即ち、無線ＬＡＮルータ２のＭＡＣアドレス）に基づいて、メッセージ送信元ユーザ端末３０１に無線接続された無線ＬＡＮルータ２が設置されている位置を判別し、判別した位置を示す「発言位置」の情報をメッセージ送信元ユーザ端末３０１へ応答する。
【００６３】
位置情報サーバ３０３のハードウェアは、互いにバスＢによって接続されたＣＰＵ３３０，イーサネット用ＮＩＣ３３１，ＲＡＭ３３３及びハードディスク３３４から、構成されている。これらのうち、ＣＰＵ３３０は、位置情報サーバ３０３全体の制御を行う中央処理装置である。また、ＲＡＭ３３３は、ＣＰＵ３３０が各種処理を実行するに際しての作業領域が展開される主記憶装置である。また、イーサネット用ＮＩＣ３３１は、イーサネットＮとのインターフェースをなす通信装置である。
【００６４】
ハードディスク３３４は、ＣＰＵ３３０によって読み出されて実行される各種プログラム及び各種データを格納する外部記憶装置である。このハードディスク３３４に格納されるデータとしては、ＭＡＣアドレス−位置対応テーブル３３５が含まれており、プログラムとしては、位置情報サーバプログラム３３６が含まれている。このＭＡＣアドレス−位置対応テーブル３３５は上述した第１実施形態のＭＡＣアドレス−位置対応テーブル３５と全く同じものであるので、その説明を省略する。位置情報サーバプログラム３３６は、ＣＰＵ３３０に対して、ＭＡＣアドレス−位置対応テーブル３３５を参照させて、上述した位置情報サーバ３０３の機能を実現させる。
【００６５】
掲示板公開サーバ３０４は、その掲示板の表示項目として「発言位置」が含まれていることを除き、従来公知の通常の掲示板公開サーバである。即ち、この掲示板公開サーバ３０４は、通常のインターネットサーバ装置としてのハードウェア（ＣＰＵ，ＲＡＭ，ハードディスク）及びソフトウェア（オペレーティングシステム，Ｗｅｂサーバプログラム，掲示板表示に関する幾つかのＣＧＩプログラム）を有している。そして、そのハードディスク内には、掲示板データベース３４１が格納されている。この掲示板データベース３４１における個々の発言毎のレコードには、図３に示すように、上述した従来のものと同じ「発言日時」，「発言者名」，「発言内容」の他、「発言位置」の項目が含まれている。この掲示板公開サーバ３０４は、各無線ＬＡＮルータ３０２及び位置情報サーバ３０３と同じネットワーク（イーサネット）Ｎに直接接続されていても良いが、図示せぬルータによって接続されたインターネットを通じて当該ネットワーク（イーサネット）Ｎに接続されていても良い。この掲示板公開サーバ３０４は、ユーザ端末３０１から閲覧要求ＨＴＴＰリクエストメッセージを受信すると、最新の発言から順番に所定数の発言についての情報を掲示板データベース４１から読み出し、これら各発言に関する情報（「発言日時」，「発言者名」，「発言内容」，「発言位置」等の項目の情報）と書込用フォームとを組み込んだ掲示板表示用ＨＴＭＬデータをアクティブに生成し、この掲示板表示用ＨＴＭＬデータを含むＨＴＴＰレスポンスメッセージを、要求元ユーザ端末２又はインターネット端末（図示略）へ応答する。この掲示板表示用ＨＴＭＬデータに基づいて表示される掲示板画面の内容は、図４に示す通りである。また、この掲示板表示用ＨＴＭＬデータには、ユーザ端末３０１上のウェブブラウザに対して、各欄４２，４３に夫々情報が書き込まれた状態で送信ボタン４４がクリックされると、最初に、位置情報サーバ３０３に対して位置問い合わせメッセージを送信させ、これに応じて位置情報サーバ３０３が「発信位置」の情報を応答してくると、「発言者名」欄４２，「発言内容」欄４３に書き込まれた情報を夫々「発言者名」の情報，「発言内容」の情報として含むとともに位置情報サーバ３０３が応答した「発信位置」の情報を含む書込要求ＨＴＴＰリクエストメッセージを掲示板公開サーバ３０４へ送信させる設定が、含まれている。
【００６６】
また、掲示板公開サーバ３０４は、何れかのユーザ端末３０１からの書込要求ＨＴＴＰリクエストメッセージを受信すると、この書込要求ＨＴＴＰリクエストメッセージを受信した日時を発言日時として自動生成し、書込要求メッセージ中の「発言者」の情報，「発言内容」の情報，「発言位置」の情報と発言日時とを記録した新規レコードを、掲示板データベース３４１に追加するとともに、レコード追加後の掲示板データベース３４１から新たに読み出した所定数の発言についての情報と書込用フォームとを組み込んだ掲示板表示用ＨＴＭＬデータをアクティブに生成し、この掲示板表示用ＨＴＭＬデータを含むＨＴＴＰレスポンスメッセージを、要求元ユーザ端末３０１へ応答する。その結果、掲示板画面上において、この発言の発言内容には、図４に示すように、その発言日時及び発言者名とともに、発言位置が付記されるのである。
（処理内容）
次に、上述した第４実施形態の通信システムにおけるユーザ端末３０１の動作（オペレーティングシステム及びＷｅｂブラウザに従って図示せぬＣＰＵが実行する処理），位置情報サーバ３０３の動作（位置情報サーバプログラム３３６に従ってＣＰＵ３３０が実行する処理）及び掲示板公開サーバ３０４の動作（オペレーティングシステム，Ｗｅｂサーバプログラム及び各ＣＧＩプログラムに従って図示せぬＣＰＵが実行する処理）のうち本発明に関連する部分を、図１３のフローチャートを参照して説明する。
【００６７】
最初に、上述したようにしてユーザ端末３０１の図示せぬ表示装置上に表示されている掲示板中の書き込みフォームの各欄４２，４３に情報を書き込んだ状態でユーザが送信ボタン４４をクリックすると、ユーザ端末３０１は、Ｓ３０１において、位置情報サーバ３０３に対して位置問い合わせメッセージを送信し、次のＳ３０２において、この位置問い合わせメッセージに対する応答を待つ。Ｓ３０１にてユーザ端末３０１から送信された位置問い合わせメッセージを受信した無線ＬＡＮルータ３０２は、この位置問い合わせメッセージをペイロードに格納するとともに、自己のＭＡＣアドレスを「ソースＭＡＣアドレス」としてヘッダに含むイーサネットフレームを、位置情報サーバ３０３へ送信する。
【００６８】
位置情報サーバ３０３のＣＰＵ３３０は、何れかの無線ＬＡＮルータ３０２からのイーサネットフレームの受信をＳ３１０にて待っており、何れかのイーサネットフレームをイーサネット用ＮＩＣ３３１が受信すると、次のＳ３１１において、イーサネット用ＮＩＣ３３１に対して、このイーサネットフレームのヘッダからソースＭＡＣアドレスを抽出させる。
【００６９】
次のＳ３１２では、ＣＰＵ３３０は、Ｓ３１１にて抽出したソースＭＡＣアドレスに基づいてＭＡＣアドレス−位置対応テーブル３３５を検索し、このソースＭＡＣアドレスに対応付けられている位置の情報を読み出す。
【００７０】
次のＳ３１３では、ＣＰＵ３３０は、Ｓ３１２にて読み出した位置情報を「発信位置」の情報として、メッセージ発信元ユーザ端末３０１に応答する。
【００７１】
すると、ユーザ端末３０１は、Ｓ３０２においてこの応答を受信して、次の３０３において、掲示板システムのＵＲＬを指定して「発言者名」欄４２，「発言内容」欄４３に書き込まれた情報を夫々「発言者名」の情報，「発言内容」の情報として含むとともに、Ｓ３０２にて位置情報サーバ３０３から受信した「発信位置」の情報を含む書込要求ＨＴＴＰリクエストメッセージを、無線ＬＡＮルータ３０２経由で掲示板公開サーバ３０４へ送信する。
【００７２】
掲示板公開サーバ３０４は、ＨＴＴＰリクエストメッセージをＳ３２０にて待っており、書込要求ＨＴＴＰリクエストメッセージを受信すると、次のＳ３２１において、書込要求ＨＴＴＰリクエストメッセージを受信した日時を発言日時として自動生成し、この書込要求ＨＴＴＰリクエストメッセージ中の「発言者」の情報，「発言内容」の情報，「発言位置」の情報と発言日時とを記録した新規レコードを、掲示板データベース３４１に追加する。
【００７３】
次のＳ３２２では、掲示板公開サーバ３０４は、Ｓ３２１にてレコードの追加を完了した掲示板データベース３４１から、Ｓ３２１にて追加したレコードを含む最新の所定数のレコードの内容を読み出し、これらレコード中の情報（「発言日時」，「発言者名」，「発言内容」，「発言位置」等の項目の情報）と書込用フォームとを組み込んだ掲示板表示用ＨＴＭＬデータをアクティブに生成し、この掲示板表示用ＨＴＭＬデータを含むＨＴＴＰレスポンスメッセージを、要求元ユーザ端末３０１へ向けて送出する。Ｓ３２２を完了すると、掲示板公開サーバ３０４は、次のＨＴＴＰリクエストメッセージを待つために、処理をＳ３２０へ戻す。
【００７４】
すると、ユーザ端末３０１は、Ｓ３０４にてこのＨＴＴＰレスポンスメッセージを受信して、このＨＴＴＰレスポンスメッセージ中の掲示板表示用ＨＴＭＬデータに基づいて掲示板画面の表示を行う。
（作用効果）                                                                     以上のように構成された本実施形態によると、上述した第１実施形態と同じ作用効果が得られる。
（変形例）
本実施形態において、ユーザ端末３０１として、無線ＬＡＮカードを内蔵したＰＤＡの代わりに、無線ＬＡＮカードを内蔵したパソコンや、無線ＬＡＮアダプタを内蔵したＰＨＳ電話機が用いられても良い。
【実施形態５】
【００７５】
本発明の第５の実施形態は、ＰＨＳ通信網Ｎを介して相互に接続されたユーザ端末４０１同士で情報を交換させるために構築され、ユーザ端末４０１からの要求に応じて当該ユーザ端末４０１の位置を検出して応答する位置情報センター４０３を、掲示板公開サーバ４０４と併設した通信システムである。
（システム構成）
図１４は、第５実施形態による通信システムの概略構成を示すブロック図である。この図１４に示されるように、この通信システムは、多数のユーザ端末４０１（図１４においては一台のみ図示）と、各ユーザ端末４０１と無線接続するために各地域に夫々設置されている複数台の基地局４０２と、ＰＨＳ通信網Ｎの地上設備を通じてこれらの基地局４０２に接続された位置情報センター４０３と、このＰＨＳ通信網Ｎに接続された掲示板公開サーバ４０４とから、構成されている。
【００７６】
ユーザ端末４０１及び各基地局４０２は、上述した第２実施形態のものと同じであるので、その説明を省略する。
【００７７】
また、位置情報センター４０３は、ユーザ端末１から自己宛のパケット（位置問い合わせメッセージを格納したパケット）を受信すると、そのパケットのヘッダに含まれるメッセージ送信元のユーザ端末の電話番号を指定して各基地局４０２に対して位置情報探知の依頼を行い、その応答として何れかの基地局４０２から通知される基地局ＩＤに基づいて、メッセージ送信元ユーザ端末４０１をそのカバーエリア内に含む基地局４０２が設置されている位置を判別し、判別した位置を示す「発言位置」の情報をメッセージ送信元ユーザ端末４０１へ応答する。
【００７８】
位置情報センター４０３のハードウェアは、互いにバスＢによって接続されたＣＰＵ４３０，終端器４３１，ＲＡＭ４３３及びハードディスク４３４から、構成されている。これらのうち、ＣＰＵ４３０は、位置情報センター４０３全体の制御を行う中央処理装置である。また、ＲＡＭ４３３は、ＣＰＵ４３０が各種処理を実行するに際しての作業領域が展開される主記憶装置である。
【００７９】
また、終端器４３１は、ＰＨＳ通信網Ｎの回線を終端させるインターフェースとしての通信装置である。即ち、この終端器４３１とユーザ端末４０１との間のデータ通信は、その通信内容をペイロードに格納したパケットの交換によって行われる。各パケットのヘッダには発信元の電話番号と発信先の電話番号が組み込まれている。従って、この終端器４０３は、パケットのヘッダを見ることによって、そのパケットがどのユーザ端末４０１から発信されたかを知ることができる。
【００８０】
ハードディスク４３４は、ＣＰＵ４３０によって読み出されて実行される各種プログラム及び各種データを格納する外部記憶装置である。このハードディスク４３４に格納されるデータとしては、基地局ＩＤ−位置対応テーブル４３５が含まれており、プログラムとしては、位置情報サーバプログラム４３６が含まれている。この基地局ＩＤ−位置対応テーブル４３５は、上述した第２実施形態の基地局ＩＤ−位置対応テーブル１３５と全く同じものであるので、その説明を省略する。位置情報サーバプログラム４３６は、ＣＰＵ４３０に対して、基地局ＩＤ−位置対応テーブル４３５を参照させて、上述した位置情報センター４０３の機能を実現させる。
【００８１】
掲示板公開サーバ４０４は、上述した第４実施形態の掲示板公開サーバ３０４と全く同じものであるので、その説明を省略する。但し、この掲示板公開サーバ４０４がユーザ端末４０１へ送信する掲示板表示用ＨＴＭＬデータには、ユーザ端末４０１上のウェブブラウザに対して、各欄４２，４３に夫々情報が書き込まれた状態で送信ボタン４４がクリックされると、最初に、位置情報センター４０３に対して位置問い合わせメッセージを送信させ、これに応じて位置情報センター４０３が「発信位置」の情報を応答してくると、「発言者名」欄４２，「発言内容」欄４３に書き込まれた情報を夫々「発言者名」の情報，「発言内容」の情報として含むとともに位置情報センター４０３が応答した「発信位置」の情報を含む書込要求ＨＴＴＰリクエストメッセージを掲示板公開サーバ４０４へ送信させる設定が、含まれている。
（処理内容）
次に、上述した第５実施形態の通信システムにおけるユーザ端末４０１の動作（オペレーティングシステム及びＷｅｂブラウザに従って図示せぬＣＰＵが実行する処理），位置情報センター４０３の動作（位置情報サーバプログラム４３６に従ってＣＰＵ４３０が実行する処理）及び掲示板公開サーバ４０４の動作（オペレーティングシステム，Ｗｅｂサーバプログラム及び各ＣＧＩプログラムに従って図示せぬＣＰＵが実行する処理）のうち本発明に関連する部分を、図１５のフローチャートを参照して説明する。
【００８２】
最初に、ユーザ端末４０１の図示せぬ表示装置上に表示されている掲示板中の書き込みフォームの各欄（図８に示す掲示板画面における「発言者名」欄４２，「発言内容」欄４３）に夫々情報を書き込んだ状態でユーザが送信ボタン４４に対応したキーを押下すると、ユーザ端末４０１は、Ｓ４０１において、位置問い合わせメッセージをペイロードに格納するとともに自己の電話番号を発信元電話番号としてヘッダに記述したパケットを位置情報センター４０３へ送信し、次のＳ４０２において、この位置問い合わせメッセージに対する応答を待つ。Ｓ４０１にてユーザ端末４０１から送信されたパケットは、基地局４０２を通じて位置情報センター４０３へ送信される。
【００８３】
位置情報センター４０３のＣＰＵ４３０は、何れかのユーザ端末４０１からのパケットの受信をＳ４１０にて待っており、何れかのユーザ端末４０１からのパケットを終端器４３１が受信すると、次のＳ４１１において、終端器４３１に対して、このパケットのヘッダから発信元電話番号を抽出させる。そして、抽出した発信元電話番号を指定した位置情報探知の依頼を各基地局４０２に送信することによって、その発信元ユーザ端末４０１がカバーエリア内に存在している基地局４０２の基地局ＩＤを取得する。
【００８４】
なお、ＰＨＳ通信通信網Ｎが、ユーザ端末４０１が自己と直接通信する基地局４０２の基地局ＩＤをこの基地局４０２との間の通信を通じて予め取得できるものであった場合には、その基地局ＩＤを含む位置問い合わせメッセージを送信するように掲示板表示用ＨＴＭＬデータを設定しておく。そして、位置情報センター４０３のＣＰＵ４３０は、何れかのユーザ端末４０１からのパケットを終端器４３１が受信すると、次のＳ４１１において、終端器４３１に対して、このパケットのペイロードから位置問い合わせメッセージを抽出させ、その位置問い合わせメッセージから、その発信元ユーザ端末４０１がカバーエリア内に存在している基地局４０２の基地局ＩＤを取得する。なお、基地局ＩＤは、パケットのヘッダに書き込まれていても良い。
【００８５】
次のＳ４１２では、ＣＰＵ４３０は、Ｓ４１１にて取得した基地局ＩＤに基づいて基地局ＩＤ−位置対応テーブル４３５を検索し、この基地局ＩＤに対応付けられている位置の情報を読み出す。
【００８６】
次のＳ４１３では、ＣＰＵ４３０は、Ｓ４１２にて読み出した位置情報を「発信位置」の情報として、メッセージ発信元ユーザ端末４０１に応答する。
【００８７】
すると、ユーザ端末４０１は、Ｓ４０２においてこの応答を受信して、次のＳ４０３において、掲示板システムのＵＲＬを指定して「発言者名」欄４２，「発言内容」欄４３に書き込まれた情報を夫々「発言者名」の情報，「発言内容」の情報として含むとともに、Ｓ４０２にて位置情報サーバ４０３から受信した「発信位置」の情報を含む書込要求ＨＴＴＰリクエストメッセージを、基地局４０２経由で掲示板公開サーバ４０４へ送信する。
【００８８】
掲示板公開サーバ４０４は、ＨＴＴＰリクエストメッセージをＳ４２０にて待っており、書込要求ＨＴＴＰリクエストメッセージを受信すると、次のＳ４２１において、書込要求ＨＴＴＰリクエストメッセージを受信した日時を発言日時として自動生成し、この書込要求ＨＴＴＰリクエストメッセージ中の「発言者」の情報，「発言内容」の情報，「発言位置」の情報と発言日時とを記録した新規レコードを、掲示板データベース４４１に追加する。
【００８９】
次のＳ４２２では、掲示板公開サーバ４０４は、Ｓ４２１にてレコードの追加を完了した掲示板データベース４４１から、Ｓ４２１にて追加したレコードを含む最新の所定数のレコードの内容を読み出し、これらレコード中の情報（「発言日時」，「発言者名」，「発言内容」，「発言位置」等の項目の情報）と書込用フォームとを組み込んだ掲示板表示用ＨＴＭＬデータをアクティブに生成し、この掲示板表示用ＨＴＭＬデータを含むＨＴＴＰレスポンスメッセージを、要求元ユーザ端末４０１へ向けて送出する。Ｓ４２２を完了すると、掲示板公開サーバ４０４は、次のＨＴＴＰリクエストメッセージを待つために、処理をＳ４２０へ戻す。
【００９０】
すると、ユーザ端末４０１は、Ｓ４０４にてこのＨＴＴＰレスポンスメッセージを受信して、このＨＴＴＰレスポンスメッセージ中の掲示板表示用ＨＴＭＬデータに基づいて掲示板画面の表示を行う。
（作用効果）
以上のように構成された本実施形態によると、上述した第２実施形態と同じ作用効果が得られる。
（変形例）
本実施形態において用いた位置検出の方法を、携帯電話網に適用し、ユーザ端末４０１を携帯電話機、基地局４０２を携帯電話網の基地局としても良い。さらに、ＰＨＳ電話機及び携帯電話機の代わりに、パソコン又はＰＤＡに接続されたＰＨＳ電話機（ＰＨＳカード）又は携帯電話機（携帯電話カード）が用いられても良い。
【実施形態６】
【００９１】
本発明の第６の実施形態は、ＰＨＳ通信網Ｎを介して相互に接続されたユーザ端末５０１同士で情報を交換させるために構築され、各ユーザ端末５０１がＧＰＳ（Grobal Positioning  System）機能を有することを前提に、ユーザ端末５０１がＧＰＳ機能によって取得した経度−緯度情報に基づいてこのユーザ端末５０１の現在地の地名を割り出す位置情報サーバ５０３を、掲示板公開サーバ５０４と併設した通信システムである。
（システム構成）
図１６は、第６実施形態による通信システムの概略構成を示すブロック図である。この図１６に示されるように、この通信システムは、多数のユーザ端末５０１（図１６においては一台のみ図示）と、各ユーザ端末５０１と無線接続するために各地域に夫々設置されている複数台の基地局５０２（図１６においては一台のみ図示）と、ＰＨＳ通信網Ｎの地上設備を通じてこれらの基地局５０２に接続された位置情報サーバ５０３と、このＰＨＳ通信網Ｎに接続された掲示板公開サーバ５０４とから、構成されている。
【００９２】
ユーザ端末５０１及び基地局５０２は、上述した第３実施形態ものと全く同じであるので、その説明を省略する。
【００９３】
また、位置情報サーバ５０３は、ユーザ端末５０１から自己宛のパケット（位置問い合わせメッセージを格納したパケット）を受信すると、そのパケット内（ヘッダ内若しくはペイロード内）に記述された緯度・経度に基づいて当該ユーザ端末５０１が存在する位置の地名（住所）を判別し、判別した地名（住所）を示す「発言位置」の情報をメッセージ送信元ユーザ端末５０１へ応答する。
【００９４】
位置情報サーバ５０３のハードウェアは、互いにバスＢによって接続されたＣＰＵ５３０，終端器５３１，ＲＡＭ５３３及びハードディスク５３４から構成されている。そのうち、ＣＰＵ５３０，終端器５３１及びＲＡＭ５３３の機能は、上述した第３実施形態における位置情報サーバ２０３のものと全く同じであるので、その説明を省略する。
【００９５】
ハードディスク５３４は、ＣＰＵ５３０によって読み出されて実行される各種プログラム及び各種データを格納する外部記憶装置である。このハードディスク５３４に格納されるデータとしては、緯度経度−位置対応テーブル５３５が含まれており、プログラムとしては、位置情報サーバプログラム５３６が含まれている。この緯度経度−位置対応テーブル５３５は、上述した第３実施形態における緯度経度−位置対応テーブル２３５と全く同じであるので、その説明を省略する。位置情報サーバプログラム５３６は、ＣＰＵ５３０に対して、緯度経度−位置対応テーブル５３５を参照させて、上述した位置情報サーバ５０３の機能を実現させる。
【００９６】
掲示板公開サーバ５０４は、上述した第４実施形態の掲示板公開サーバ３０４と全く同じものであるので、その説明を省略する。但し、この掲示板公開サーバ５０４がユーザ端末５０１へ送信する掲示板表示用ＨＴＭＬデータには、ユーザ端末５０１上のウェブブラウザに対して、各欄４２，４３に夫々情報が書き込まれた状態で送信ボタン４４がクリックされると、最初に、位置情報サーバ５０３に対して位置問い合わせメッセージを送信させ、これに応じて位置情報サーバ５０３が「発信位置」の情報を応答してくると、「発言者名」欄４２，「発言内容」欄４３に書き込まれた情報を夫々「発言者名」の情報，「発言内容」の情報として含むとともに位置情報サーバ５０３が応答した「発信位置」の情報を含む書込要求ＨＴＴＰリクエストメッセージを掲示板公開サーバ５０４へ送信させる設定が、含まれている。
（処理内容）
次に、上述した第６実施形態の通信システムにおけるユーザ端末５０１の動作（オペレーティングシステム及びＷｅｂブラウザに従って図示せぬＣＰＵが実行する処理），位置情報サーバ５０３の動作（位置情報サーバプログラム５３６に従ってＣＰＵ５３０が実行する処理）及び掲示板公開サーバ５０４の動作（オペレーティングシステム，Ｗｅｂサーバプログラム及び各ＣＧＩプログラムに従って図示せぬＣＰＵが実行する処理）のうち本発明に関連する部分を、図１７のフローチャートを参照して説明する。
【００９７】
最初に、ユーザ端末５０１の図示せぬ表示装置上に表示されている掲示板中の書き込みフォームの各欄（図８に示す掲示板画面における「発言者名」欄４２，「発言内容」欄４３）に夫々情報を書き込んだ状態でユーザが送信ボタン４４に対応したキーを押下すると、ユーザ端末５０１は、Ｓ５０１において、位置問い合わせメッセージをペイロードに格納するとともに最新に検出された緯度・経度をヘッダ内若しくはペイロード内に記述したパケットを送信し、次のＳ５０２において、この位置問い合わせメッセージに対する応答を待つ。Ｓ５０１にてユーザ端末５０１から送信されたパケットは、基地局５０２を通じて位置情報サーバ５０３へ送信される。
【００９８】
位置情報サーバ５０３のＣＰＵ５３０は、何れかのユーザ端末５０１からのパケットの受信をＳ５１０にて待っており、何れかのユーザ端末５０１からのパケットを終端器５３１が受信すると、次のＳ５１１において、終端器５３１に対して、このパケットのヘッダから発信元ユーザ端末５０１の緯度・経度を抽出させる。
【００９９】
次のＳ５１２では、ＣＰＵ５３０は、Ｓ５１１にて取得した緯度・経度に基づいて緯度経度−位置対応テーブル５３５を検索し、この緯度・経度に相当する地名（住所）を読み出す。
【０１００】
次のＳ５１３では、ＣＰＵ５３０は、Ｓ５１２にて読み出した地名（住所）を「発信位置」の情報として、メッセージ発信元ユーザ端末５０１に応答する。
【０１０１】
すると、ユーザ端末５０１は、Ｓ５０２においてこの応答を受信して、次のＳ５０３において、掲示板システムのＵＲＬを指定して「発言者名」欄４２，「発言内容」欄４３に書き込まれた情報を夫々「発言者名」の情報，「発言内容」の情報として含むとともに、Ｓ５０２にて位置情報サーバ５０３から受信した「発信位置」の情報を含む書込要求ＨＴＴＰリクエストメッセージを、基地局５０２経由で掲示板公開サーバ５０４へ送信する。
【０１０２】
掲示板公開サーバ５０４は、ＨＴＴＰリクエストメッセージをＳ５２０にて待っており、書込要求ＨＴＴＰリクエストメッセージを受信すると、次のＳ５２１において、書込要求ＨＴＴＰリクエストメッセージを受信した日時を発言日時として自動生成し、この書込要求ＨＴＴＰリクエストメッセージ中の「発言者」の情報，「発言内容」の情報，「発言位置」の情報と発言日時とを記録した新規レコードを、掲示板データベース５４１に追加する。
【０１０３】
次のＳ５２２では、掲示板公開サーバ５０４は、Ｓ５２１にてレコードの追加を完了した掲示板データベース５４１から、Ｓ５２１にて追加したレコードを含む最新の所定数のレコードの内容を読み出し、これらレコード中の情報（「発言日時」，「発言者名」，「発言内容」，「発言位置」等の項目の情報）と書込用フォームとを組み込んだ掲示板表示用ＨＴＭＬデータをアクティブに生成し、この掲示板表示用ＨＴＭＬデータを含むＨＴＴＰレスポンスメッセージを、要求元ユーザ端末５０１へ向けて送出する。Ｓ５２２を完了すると、掲示板公開サーバ５０４は、次のＨＴＴＰリクエストメッセージを待つために、処理をＳ５２０へ戻す。
【０１０４】
すると、ユーザ端末５０１は、Ｓ５０４にてこのＨＴＴＰレスポンスメッセージを受信して、このＨＴＴＰレスポンスメッセージ中の掲示板表示用ＨＴＭＬデータに基づいて掲示板画面の表示を行う。
（作用効果）
以上のように構成された本実施形態によると、上述した第３実施形態と同じ作用効果が得られる。
（変形例）
本実施形態において用いた位置検出の方法（即ち、ユーザ端末５０１においてＧＰＳ機能を用いて緯度・経度を測定し、位置情報サーバ５０３において緯度・経度を地名に変換する方法）を、第４実施形態のような無線ＬＡＮをベースとした通信システムに適用しても良い。また、本実施形態において用いた位置検出の方法を、携帯電話網に適用し、ユーザ端末５０１をＧＰＳ位置検出機能を有する携帯電話機、基地局５０２を携帯電話網の基地局としても良い。さらに、ＧＰＳ位置検出機能を有するＰＨＳ電話機及び携帯電話機の代わりに、ＧＰＳ位置検出機能を有するパソコン又はＰＤＡに接続されたＰＨＳ電話機（ＰＨＳカード）又は携帯電話機（携帯電話カード）が用いられても良い。
【図面の簡単な説明】
【０１０５】
【図１】本発明の第１実施形態による通信システムの概略構成を示すブロック図
【図２】ＭＡＣアドレス−位置対応テーブルのデータ構造を示す表
【図３】掲示板ＤＢのデータ構造を示す表
【図４】掲示板の画面例を示す図
【図５】第１実施例におけるユーザ端末，位置情報サーバ及び掲示板公開サーバの処理を夫々示すフローチャート
【図６】本発明の第２実施形態による通信システムの概略構成を示すブロック図
【図７】基地局ＩＤ−位置対応テーブルのデータ構造を示す表
【図８】掲示板の画面例を示す図
【図９】第２実施例におけるユーザ端末，位置情報サーバ及び掲示板公開サーバの処理を夫々示すフローチャート
【図１０】本発明の第３実施形態による通信システムの概略構成を示すブロック図
【図１１】第３実施例におけるユーザ端末，位置情報サーバ及び掲示板公開サーバの処理を夫々示すフローチャート
【図１２】本発明の第４実施形態による通信システムの概略構成を示すブロック図
【図１３】第４実施例におけるユーザ端末，位置情報サーバ及び掲示板公開サーバの処理を夫々示すフローチャート
【図１４】本発明の第５実施形態による通信システムの概略構成を示すブロック図
【図１５】第５実施例におけるユーザ端末，位置情報サーバ及び掲示板公開サーバの処理を夫々示すフローチャート
【図１６】本発明の第６実施形態による通信システムの概略構成を示すブロック図
【図１７】第６実施例におけるユーザ端末，位置情報サーバ及び掲示板公開サーバの処理を夫々示すフローチャート
【符号の説明】
【０１０６】
１      ユーザ端末
２      無線ＬＡＮルータ
３      位置情報サーバ
４      掲示板公開サーバ
３０      ＣＰＵ
３１      イーサネット用ＮＩＣ
３３      ＲＡＭ
３４      ハードディスク
３５      ＭＡＣアドレス−位置対応テーブル
３６      位置情報サーバプログラム
４１      掲示板データベース
１０１      ユーザ端末
１０２      基地局
１０３      位置情報サーバ
１０４      掲示板公開サーバ
１３０      ＣＰＵ
１３１      終端器
１３３      ＲＡＭ
１３４      ハードディスク
１３５      基地局ＩＤ−位置対応テーブル
１３６      位置情報サーバプログラム
１４１      掲示板データベース
２０１      ユーザ端末
２０２      基地局
２０３      位置情報サーバ
２０４      掲示板公開サーバ
２３０      ＣＰＵ
２３１      終端器
２３３      ＲＡＭ
２３４      ハードディスク
２３５      緯度経度−位置対応テーブル
２３６      位置情報サーバプログラム
２４１      掲示板データベース
【図１】
2005128831.tif 000003
【図２】
2005128831.tif 000004
【図３】
2005128831.tif 000005
【図４】
2005128831.tif 000006
【図５】
2005128831.tif 000007
【図６】
2005128831.tif 000008
【図７】
2005128831.tif 000009
【図８】
2005128831.tif 000010
【図９】
2005128831.tif 000011
【図１０】
2005128831.tif 000012
【図１１】
2005128831.tif 000013
【図１２】
2005128831.tif 000014
【図１３】
2005128831.tif 000015
【図１４】
2005128831.tif 000016
【図１５】
2005128831.tif 000017
【図１６】
2005128831.tif 000018
【図１７】
2005128831.tif 000019